(57)【要約】【課題】複写を柔軟に管理して複写による情報漏洩を防止又は検知することが可能な、複写管理システムなどを提供する。【解決手段】複写管理システムにおいて、出力装置（１０）は、複写許可者等を特定する特定情報を含むリスト情報を生成するリスト情報生成部（１０２）と；印刷画像を生成する印刷画像生成部（１０１）と；リスト情報を特殊符号に変換し印刷画像に埋め込んで、埋め込み印刷画像を生成する埋め込み部（１０４）とを備え、複写装置（３０）は、複写者等を特定する複写特定情報の入力を受け付ける複写特定情報受付部（２０５）と；上記埋め込み印刷画像からリスト情報を取得するリスト情報取得部（２０３）と；リスト情報に含む特定情報と、上記複写特定情報とを比較し、複写の許可又は不許可のいずれかを決定する複写決定部（２０４）と；複写が許可された場合、複写する複写部（２０２）とを備える。【選択図】図１
2008187492.tif 000002
【特許請求の範囲】
【請求項１】
複写装置と、該複写装置による複写処理を管理するために、所定の情報が埋め込まれた画像を出力する出力装置とを備えた複写管理システムにおいて：
前記出力装置は、前記複写装置による複写を許可された複写許可者、又は、複数の該複写許可者から構成された複写許可グループのうち少なくとも一方を特定可能な１又は２以上の特定情報を含んで成るリスト情報を生成するリスト情報生成部と；
文字、図形、若しくは記号又はこれらの組み合わせを含んだ原情報を基にして印刷画像を生成する印刷画像生成部と；
前記リスト情報に対して所定の符号化を施して該リスト情報を特殊符号に変換し、該特殊符号を前記印刷画像に埋め込んで、埋め込み印刷画像を生成する埋め込み部と；
前記埋め込み部により生成された前記埋め込み印刷画像を出力する出力部と；
を備え、
前記複写装置は、該複写装置を用いて複写する複写者、又は、該複写者が属する複写グループのうち少なくとも一方を特定可能な複写特定情報の入力を受け付ける複写特定情報受付部と；
前記出力装置により出力された埋め込み印刷画像を入力して入力画像を生成する入力部と；
前記出力装置により前記埋め込み印刷画像に埋め込まれた特殊符合を前記入力画像から取得し、その特殊符号に対して所定の復号を施して該特殊符号から少なくともリスト情報を取得するリスト情報取得部と；
前記リスト情報取得部で取得した前記リスト情報に含まれる情報のうち、前記複写装置による複写を許可された複写許可者、又は、複数の該複写許可者から構成された複写許可グループの少なくとも一方を特定可能な特定情報と、前記複写特定情報受付部で受け付けた前記複写特定情報とを比較し、その比較結果に従って、複写の許可又は不許可のいずれかを決定する複写決定部と；
前記複写決定部により複写が許可された場合、前記入力画像を新たに出力することで、前記出力装置により出力された埋め込み印刷画像を複写する複写部と；
を備えることを特徴とする、複写管理システム。
【請求項２】
複写装置と、該複写装置による複写処理を管理するために、所定の情報が埋め込まれた画像を出力する出力装置とを備えた複写管理システムにおいて：
前記出力装置は、前記複写装置による複写を許可された複写許可者、又は、複数の該複写許可者から構成された複写許可グループのうち少なくとも一方を特定可能な１又は２以上の特定情報を含んで成るリスト情報を生成するリスト情報生成部と；
文字、図形、若しくは記号又はこれらの組み合わせを含んだ原情報を基にして印刷画像を生成する印刷画像生成部と；
前記リスト情報に対して所定の符号化を施して該リスト情報を特殊符号に変換し、該特殊符号を前記印刷画像に埋め込んで、埋め込み印刷画像を生成する埋め込み部と；
前記埋め込み部により生成された前記埋め込み印刷画像を出力する出力部と；
を備え、
前記複写装置は、該複写装置を用いて複写する複写者、又は、該複写者が属する複写グループのうち少なくとも一方を特定可能な複写特定情報の入力を受け付ける複写特定情報受付部と；
前記出力装置により出力された埋め込み印刷画像を入力して入力画像を生成する入力部と；
前記複写特定情報受付部により前記複写特定情報が受け付けられると、前記入力画像を新たに出力することで、前記出力装置により出力された埋め込み印刷画像を複写する複写部と；
前記出力装置により前記埋め込み印刷画像に埋め込まれた特殊符合を前記入力画像から取得し、その特殊符号に対して所定の復号を施して該特殊符号から少なくともリスト情報を取得するリスト情報取得部と；
前記リスト情報取得部で取得した前記リスト情報に含まれる情報のうち、前記埋め込み印刷画像を前記出力装置から外部に出力した出力者、又は、該出力者が属する出力グループのうち少なくとも一方を特定可能な特定情報と、前記複写特定情報受付部で受け付けた前記複写特定情報とを関連付けて記憶する関連付け記憶部と；
前記特定情報の入力を受け付け、その受け付けた特定情報を基にして前記関連付け記憶部から該当する特定情報と、その特定情報に前記関連付けられた前記複写特定情報とを取得し、その取得した特定情報と複写特定情報とを出力する出力部と；
を備えることを特徴とする、複写管理システム。
【請求項３】
複写装置による複写処理を管理するために、所定の情報が埋め込まれた画像を出力する出力装置において：
前記複写装置による複写を許可された複写許可者、又は、複数の該複写許可者から構成された複写許可グループのうち少なくとも一方を特定可能な１又は２以上の特定情報を含んで成るリスト情報を生成するリスト情報生成部と；
文字、図形、若しくは記号又はこれらの組み合わせを含んだ原情報を基にして印刷画像を生成する印刷画像生成部と；
前記リスト情報に対して所定の符号化を施して該リスト情報を特殊符号に変換し、該特殊符号を前記印刷画像に埋め込んで、埋め込み印刷画像を生成する埋め込み部と；
前記埋め込み部により生成された前記埋め込み印刷画像を出力する出力部と；
を備えることを特徴とする、出力装置。
【請求項４】
前記リスト情報生成部は、前記埋め込み印刷画像を前記出力装置から外部に出力した出力者、又は、該出力者が属する出力グループのうち少なくとも一方を特定可能な１又は２以上の特定情報を含んで成るリスト情報を生成することを特徴とする、請求項３に記載の出力装置。
【請求項５】
前記リスト情報生成部は、前記複写装置による前記埋め込み印刷画像の複写を許可された複写許可者、又は、複数の該複写許可者から構成された複写許可グループの少なくとも一方を特定可能な１又は２以上の第１の特定情報を含んで成る第１のリスト情報と、
前記埋め込み印刷画像を前記出力装置から外部に出力した出力者、又は、該出力者が属する出力グループのうち少なくとも一方を特定可能な１又は２以上の第２の特定情報を含んで成る第２のリスト情報と、
を生成することを特徴とする、請求項３に記載の出力装置。
【請求項６】
前記出力部は、前記埋め込み印刷画像を紙に出力することを特徴とする、請求項３〜５のいずれかに記載の出力装置。
【請求項７】
前記特殊符号は、透かし画像であることを特徴とする、請求項３〜６のいずれかに記載の出力装置。
【請求項８】
前記特殊符号は、ドットパターンが配置されることにより表される情報であり、
前記ドットパターンは、所定の方向に所定の間隔でドットが配置され、前記ドットの輝度値を振幅とし、前記所定の方向と垂直な方向を伝播方向とするものであり、
前記ドットの方向及び／又は間隔を変化させたドットパターンを複数用意し、前記ドットパターンが組み合わせて配置されることにより、前記特殊符合が表されることを特徴とする、請求項３〜７のいずれかに記載の出力装置。
【請求項９】
コンピュータをして、複写装置による複写処理を管理するために、所定の情報が埋め込まれた画像を出力する出力装置として機能させるコンピュータプログラムにおいて：
前記複写装置による複写を許可された複写許可者、又は、複数の該複写許可者から構成された複写許可グループのうち少なくとも一方を特定可能な１又は２以上の特定情報を含んで成るリスト情報を生成するリスト情報生成手段と；
文字、図形、若しくは記号又はこれらの組み合わせを含んだ原情報を基にして印刷画像を生成する印刷画像生成手段と；
前記リスト情報に対して所定の符号化を施して該リスト情報を特殊符号に変換し、該特殊符号を前記印刷画像に埋め込んで、埋め込み印刷画像を生成する埋め込み手段と；
前記埋め込み手段により生成された前記埋め込み印刷画像を出力する出力手段と；
を備えることを特徴とする、コンピュータプログラム。
【請求項１０】
出力装置により出力される画像に埋め込まれた所定の情報を基にして、複写処理を管理する複写装置において：
前記複写装置を用いて複写する複写者、又は、該複写者が属する複写グループのうち少なくとも一方を特定可能な複写特定情報の入力を受け付ける複写特定情報受付部と；
前記出力装置により出力された埋め込み印刷画像を入力して入力画像を生成する入力部と；
前記出力装置により前記埋め込み印刷画像に埋め込まれた特殊符合を前記入力画像から取得し、その特殊符号に対して所定の復号を施して該特殊符号から少なくともリスト情報を取得するリスト情報取得部と；
前記リスト情報取得部で取得した前記リスト情報に含まれる情報のうち、前記複写装置による複写を許可された複写許可者、又は、複数の該複写許可者から構成された複写許可グループの少なくとも一方を特定可能な特定情報と、前記複写特定情報受付部で受け付けた前記複写特定情報とを比較し、その比較結果に従って、複写の許可又は不許可のいずれかを決定する複写決定部と；
前記複写決定部により複写が許可された場合、前記入力画像を新たに出力することで、前記出力装置により出力された埋め込み印刷画像を複写する複写部と；
を備えることを特徴とする、複写装置。
【請求項１１】
前記特殊符号は、透かし画像であることを特徴とする、請求項１０に記載の複写装置。
【請求項１２】
前記特殊符号は、ドットパターンが配置されることにより表される情報であり、
前記ドットパターンは、所定の方向に所定の間隔でドットが配置され、前記ドットの輝度値を振幅とし、前記所定の方向と垂直な方向を伝播方向とするものであり、
前記ドットの方向及び／又は間隔を変化させたドットパターンを複数用意し、前記ドットパターンが組み合わせて配置されることにより、前記特殊符合が表されることを特徴とする、請求項１０又は１１に記載の複写装置。
【請求項１３】
コンピュータをして、出力装置により出力される画像に埋め込まれた所定の情報を基にして、複写処理を管理する複写装置として機能させるコンピュータプログラムにおいて：
前記複写装置を用いて複写する複写者、又は、該複写者が属する複写グループのうち少なくとも一方を特定可能な複写特定情報の入力を受け付ける複写特定情報受付手段と；
前記出力装置により出力された埋め込み印刷画像を入力して入力画像を生成する入力手段と；
前記出力装置により前記埋め込み印刷画像に埋め込まれた特殊符合を前記入力画像から取得し、その特殊符号に対して所定の復号を施して該特殊符号から少なくともリスト情報を取得するリスト情報取得手段と；
前記リスト情報取得手段で取得した前記リスト情報に含まれる情報のうち、前記複写装置による複写を許可された複写許可者、又は、複数の該複写許可者から構成された複写許可グループの少なくとも一方を特定可能な特定情報と、前記複写特定情報受付手段で受け付けた前記複写特定情報とを比較し、その比較結果に従って、複写の許可又は不許可のいずれかを決定する複写決定手段と；
前記複写決定手段により複写が許可された場合、前記入力画像を新たに出力することで、前記出力装置により出力された埋め込み印刷画像を複写する複写手段と；
を備えることを特徴とする、コンピュータプログラム。
【請求項１４】
出力装置により出力される画像に埋め込まれた所定の情報を基にして、複写処理を管理する複写装置において：
前記複写装置を用いて複写する複写者、又は、該複写者が属する複写グループのうち少なくとも一方を特定可能な複写特定情報の入力を受け付ける複写特定情報受付部と；
前記出力装置により出力された埋め込み印刷画像を入力して入力画像を生成する入力部と；
前記複写特定情報受付部により前記複写特定情報が受け付けられると、前記入力画像を新たに出力することで、前記出力装置により出力された埋め込み印刷画像を複写する複写部と；
前記出力装置により前記埋め込み印刷画像に埋め込まれた特殊符合を前記入力画像から取得し、その特殊符号に対して所定の復号を施して該特殊符号から少なくともリスト情報を取得するリスト情報取得部と；
前記リスト情報取得部で取得した前記リスト情報に含まれる情報のうち、前記埋め込み印刷画像を前記出力装置から外部に出力した出力者、又は、該出力者が属する出力グループのうち少なくとも一方を特定可能な特定情報と、前記複写特定情報受付部で受け付けた前記複写特定情報とを関連付けて記憶する関連付け記憶部と；
前記特定情報の入力を受け付け、その受け付けた特定情報を基にして前記関連付け記憶部から該当する特定情報と、その特定情報に前記関連付けられた前記複写特定情報とを取得し、その取得した特定情報と複写特定情報とを出力する出力部と；
を備えることを特徴とする、複写装置。
【請求項１５】
前記リスト情報取得部は、前記特殊符号から前記埋め込み印刷画像を前記出力装置から外部に出力した時間を示す出力時間情報又はその出力場所を示す出力場所情報の少なくとも一方を、さらに取得し；
前記関連付け記憶部は、前記リスト情報取得部で取得した前記リスト情報に含まれる前記特定情報に、前記複写特定情報、前記出力時間情報、前記出力場所情報、または前記複写部により複写が実行された時間を示す複写時間情報のうち少なくとも一つを関連付けて記憶し；
前記出力部は、前記関連付け記憶部から取得した前記特定情報、前記複写特定情報、前記出力時間情報、前記出力場所情報、または前記複写時間情報のうち少なくとも一つを出力することを特徴とする、請求項１４に記載の複写装置。
【請求項１６】
前記出力部は、前記検索した特定情報に関連付けられた情報及び該特定情報を、所定の形式に加工し、該特定情報から得られる通知先に従って、出力することを特徴とする、１４又は１５に記載の複写装置。
【請求項１７】
前記特殊符号は、透かし画像であることを特徴とする、請求項１４又は１５に記載の複写装置。
【請求項１８】
前記特殊符号は、ドットパターンが配置されることにより表される情報であり、
前記ドットパターンは、所定の方向に所定の間隔でドットが配置され、前記ドットの輝度値を振幅とし、前記所定の方向と垂直な方向を伝播方向とするものであり、
前記ドットの方向及び／又は間隔を変化させたドットパターンを複数用意し、前記ドットパターンが組み合わせて配置されることにより、前記特殊符合が表されることを特徴とする、請求項１４、１５、または１７のいずれかに記載の複写装置。
【請求項１９】
コンピュータをして、出力装置により出力される画像に埋め込まれた所定の情報を基にして、複写処理を管理する複写装置として機能させるコンピュータプログラムにおいて：
前記複写装置を用いて複写する複写者、又は、該複写者が属する複写グループのうち少なくとも一方を特定可能な複写特定情報の入力を受け付ける複写特定情報受付手段と；
前記出力装置により出力された埋め込み印刷画像を入力して入力画像を生成する入力手段と；
前記複写特定情報受付手段により前記複写特定情報が受け付けられると、前記入力画像を新たに出力することで、前記出力装置により出力された埋め込み印刷画像を複写する複写手段と；
前記出力装置により前記埋め込み印刷画像に埋め込まれた特殊符合を前記入力画像から取得し、その特殊符号に対して所定の復号を施して該特殊符号から少なくともリスト情報を取得するリスト情報取得手段と；
前記リスト情報取得手段で取得した前記リスト情報に含まれる情報のうち、前記埋め込み印刷画像を前記出力装置から外部に出力した出力者、又は、該出力者が属する出力グループのうち少なくとも一方を特定可能な特定情報と、前記複写特定情報受付手段で受け付けた前記複写特定情報とを関連付けて記憶する関連付け記憶手段と；
前記特定情報の入力を受け付け、その受け付けた特定情報を基にして前記関連付け記憶手段から該当する特定情報と、その特定情報に前記関連付けられた前記複写特定情報とを取得し、その取得した特定情報と複写特定情報とを出力する出力手段と；
を備えることを特徴とする、コンピュータプログラム。
【発明の詳細な説明】
【技術分野】
【０００１】
本発明は、複写装置による複写処理を管理するために特殊符号を埋め込んで画像を出力する出力装置と、埋め込まれた画像から特殊符号を取得して複写処理を管理する複写装置に関する。
【背景技術】
【０００２】
近年、プリンタ等の出力装置により出力された機密文書等が不用意に複写され、機密情報等の情報が漏洩するといったケースが増えており、社会問題となっている。
【０００３】
かかる問題を解決するため以前より、いくつかの方法が提案されているが、いずれも容易に解決方法が見破られて機密文書が複写され、利便性を損なうものであった（例えば、特許文献１〜４、参照）。
【０００４】
【特許文献１】特開２００３−１０１７６２号公報
【特許文献２】特開２００５−３３３３５９号公報
【特許文献３】特開平０２−１１１１６１号公報
【特許文献４】特開２００４−２６０３４１号公報
【発明の開示】
【発明が解決しようとする課題】
【０００５】
上記特許文献３では、機密文書が複写などにより外部に漏洩した場合に容易に漏洩元を判別できるように、複写時の複写装置の識別情報や、コピー日時等の追跡情報をバーコードで表して、そのバーコードを複写された原稿に付加する方法について記載されているが、複写時に上記バーコード部分を隠したり、他のバーコードに替えたりすることで、漏洩元の判明を難しくし、容易に複写されてしまう、という問題があった。
【０００６】
また、上記特許文献１の透かし技術を利用して、上記特許文献２には、印刷物の地紋全体に印刷者の情報や、印刷物のサイズ、印刷工程等を自動的に印刷する印刷方法について記載されている。この印刷方法によれば、印刷者の情報等を紙面の背景全体に繰り返し埋め込むことができ、印刷物の一部を隠したり切り取ったりした場合でも、情報を読み出すことができる。
【０００７】
しかしながら、上記印刷方法では、漏洩元の特定には効果を最大限発揮するものの、当該印刷方法の目的が漏洩を防ぐ目的とは異なるため、印刷物の複写を制限することができない、という問題があった。
【０００８】
また、上記特許文献４には、機密文書の背景に一定の地紋パターンを印刷し、複写機でそのパターンを検知した場合に複写を禁止する方法について記載されているが、かかる方法では、地紋パターンの入った機密文書は一律に複写が禁止されるため、印刷者より上位の権限を持った者や、印刷者が複製の取得を許可した者であっても複写を行うことができず利便性が損なわれる、という問題があった。
【０００９】
そこで、本発明は、上記問題に鑑みてなされたものであり、本発明の目的とするところは、複写を柔軟に管理して複写による情報漏洩を防止又は検知することが可能な、新規かつ改良された複写管理システム、出力装置、複写装置、およびコンピュータプログラムを提供することにある。
【課題を解決するための手段】
【００１０】
上記課題を解決するため、本発明の第１の観点によれば、複写装置と、該複写装置による複写処理を管理するために、所定の情報が埋め込まれた画像を出力する出力装置とを備えた複写管理システムが提供される。上記複写管理システムにおいて、上記出力装置は、上記複写装置による複写を許可された複写許可者、又は、複数の該複写許可者から構成された複写許可グループのうち少なくとも一方を特定可能な１又は２以上の特定情報を含んで成るリスト情報を生成するリスト情報生成部と；文字、図形、若しくは記号又はこれらの組み合わせを含んだ原情報を基にして印刷画像を生成する印刷画像生成部と；上記リスト情報に対して所定の符号化を施して該リスト情報を特殊符号に変換し、該特殊符号を上記印刷画像に埋め込んで、埋め込み印刷画像を生成する埋め込み部と；上記埋め込み部により生成された上記埋め込み印刷画像を出力する出力部とを備え、さらに、上記複写装置は、該複写装置を用いて複写する複写者、又は、該複写者が属する複写グループのうち少なくとも一方を特定可能な複写特定情報の入力を受け付ける複写特定情報受付部と；上記出力装置により出力された埋め込み印刷画像を入力して入力画像を生成する入力部と；上記出力装置により上記埋め込み印刷画像に埋め込まれた特殊符合を上記入力画像から取得し、その特殊符号に対して所定の復号を施して該特殊符号から少なくともリスト情報を取得するリスト情報取得部と；上記リスト情報取得部で取得した上記リスト情報に含まれる情報のうち、上記複写装置による複写を許可された複写許可者、又は、複数の該複写許可者から構成された複写許可グループの少なくとも一方を特定可能な特定情報と、上記複写特定情報受付部で受け付けた上記複写特定情報とを比較し、その比較結果に従って、複写の許可又は不許可のいずれかを決定する複写決定部と；上記複写決定部により複写が許可された場合、上記入力画像を新たに出力することで、上記出力装置により出力された埋め込み印刷画像を複写する複写部とを備えることを特徴としている。
【００１１】
また、上記課題を解決するために、本発明の別の観点によれば、複写装置と、該複写装置による複写処理を管理するために、所定の情報が埋め込まれた画像を出力する出力装置とを備えた複写管理システムが提供される。上記複写管理システムにおいて、上記出力装置は、上記複写装置による複写を許可された複写許可者、又は、複数の該複写許可者から構成された複写許可グループのうち少なくとも一方を特定可能な１又は２以上の特定情報を含んで成るリスト情報を生成するリスト情報生成部と；文字、図形、若しくは記号又はこれらの組み合わせを含んだ原情報を基にして印刷画像を生成する印刷画像生成部と；上記リスト情報に対して所定の符号化を施して該リスト情報を特殊符号に変換し、該特殊符号を上記印刷画像に埋め込んで、埋め込み印刷画像を生成する埋め込み部と；上記埋め込み部により生成された上記埋め込み印刷画像を出力する出力部とを備え、上記複写装置は、該複写装置を用いて複写する複写者、又は、該複写者が属する複写グループのうち少なくとも一方を特定可能な複写特定情報の入力を受け付ける複写特定情報受付部と；上記出力装置により出力された埋め込み印刷画像を入力して入力画像を生成する入力部と；上記複写特定情報受付部により上記複写特定情報が受け付けられると、上記入力画像を新たに出力することで、上記出力装置により出力された埋め込み印刷画像を複写する複写部と；上記出力装置により上記埋め込み印刷画像に埋め込まれた特殊符合を上記入力画像から取得し、その特殊符号に対して所定の復号を施して該特殊符号から少なくともリスト情報を取得するリスト情報取得部と；上記リスト情報取得部で取得した上記リスト情報に含まれる情報のうち、上記埋め込み印刷画像を上記出力装置から外部に出力した出力者、又は、該出力者が属する出力グループのうち少なくとも一方を特定可能な特定情報と、上記複写特定情報受付部で受け付けた上記複写特定情報とを関連付けて記憶する関連付け記憶部と；上記特定情報の入力を受け付け、その受け付けた特定情報を基にして上記関連付け記憶部から該当する特定情報と、その特定情報に上記関連付けられた上記複写特定情報とを取得し、その取得した特定情報と複写特定情報とを出力する出力部とを備えることを特徴としている。
【００１２】
また、上記課題を解決するために、本発明の別の観点によれば、複写装置による複写処理を管理するために、所定の情報が埋め込まれた画像を出力する出力装置が提供される。上記出力装置は、上記複写装置による複写を許可された複写許可者、又は、複数の該複写許可者から構成された複写許可グループのうち少なくとも一方を特定可能な１又は２以上の特定情報を含んで成るリスト情報を生成するリスト情報生成部と；文字、図形、若しくは記号又はこれらの組み合わせを含んだ原情報を基にして印刷画像を生成する印刷画像生成部と；上記リスト情報に対して所定の符号化を施して該リスト情報を特殊符号に変換し、該特殊符号を上記印刷画像に埋め込んで、埋め込み印刷画像を生成する埋め込み部と；上記埋め込み部により生成された上記埋め込み印刷画像を出力する出力部とを備えることを特徴としている。
【００１３】
また、上記課題を解決するために、本発明の別の観点によれば、コンピュータをして、複写装置による複写処理を管理するために、所定の情報が埋め込まれた画像を出力する出力装置として機能させるコンピュータプログラムが提供される。上記コンピュータプログラムは、上記複写装置による複写を許可された複写許可者、又は、複数の該複写許可者から構成された複写許可グループのうち少なくとも一方を特定可能な１又は２以上の特定情報を含んで成るリスト情報を生成するリスト情報生成手段と；文字、図形、若しくは記号又はこれらの組み合わせを含んだ原情報を基にして印刷画像を生成する印刷画像生成手段と；上記リスト情報に対して所定の符号化を施して該リスト情報を特殊符号に変換し、該特殊符号を上記印刷画像に埋め込んで、埋め込み印刷画像を生成する埋め込み手段と；上記埋め込み手段により生成された上記埋め込み印刷画像を出力する出力手段とを備えることを特徴としている。
【００１４】
上記リスト情報生成部は、上記埋め込み印刷画像を上記出力装置から外部に出力した出力者、又は、該出力者が属する出力グループのうち少なくとも一方を特定可能な１又は２以上の特定情報を含んで成るリスト情報を生成するようにしてもよい。
【００１５】
上記リスト情報生成部は、上記複写装置による上記埋め込み印刷画像の複写を許可された複写許可者、又は、複数の該複写許可者から構成された複写許可グループの少なくとも一方を特定可能な１又は２以上の第１の特定情報を含んで成る第１のリスト情報と、上記埋め込み印刷画像を上記出力装置から外部に出力した出力者、又は、該出力者が属する出力グループのうち少なくとも一方を特定可能な１又は２以上の第２の特定情報を含んで成る第２のリスト情報と、を生成するようにしてもよい。
【００１６】
上記出力部は、上記埋め込み印刷画像を紙に出力するようにしてもよい。
【００１７】
また、上記課題を解決するために、本発明の別の観点によれば、出力装置により出力される画像に埋め込まれた所定の情報を基にして、複写処理を管理する複写装置が提供される。上記複写装置は、当該複写装置を用いて複写する複写者、又は、該複写者が属する複写グループのうち少なくとも一方を特定可能な複写特定情報の入力を受け付ける複写特定情報受付部と；上記出力装置により出力された埋め込み印刷画像を入力して入力画像を生成する入力部と；上記出力装置により上記埋め込み印刷画像に埋め込まれた特殊符合を上記入力画像から取得し、その特殊符号に対して所定の復号を施して該特殊符号から少なくともリスト情報を取得するリスト情報取得部と；上記リスト情報取得部で取得した上記リスト情報に含まれる情報のうち、上記複写装置による複写を許可された複写許可者、又は、複数の該複写許可者から構成された複写許可グループの少なくとも一方を特定可能な特定情報と、上記複写特定情報受付部で受け付けた上記複写特定情報とを比較し、その比較結果に従って、複写の許可又は不許可のいずれかを決定する複写決定部と；上記複写決定部により複写が許可された場合、上記入力画像を新たに出力することで、上記出力装置により出力された埋め込み印刷画像を複写する複写部とを備えることを特徴としている。
【００１８】
また、上記課題を解決するために、本発明の別の観点によれば、コンピュータをして、出力装置により出力される画像に埋め込まれた所定の情報を基にして、複写処理を管理する複写装置として機能させるコンピュータプログラムが提供される。上記コンピュータプログラムは、上記複写装置を用いて複写する複写者、又は、該複写者が属する複写グループのうち少なくとも一方を特定可能な複写特定情報の入力を受け付ける複写特定情報受付手段と；上記出力装置により出力された埋め込み印刷画像を入力して入力画像を生成する入力手段と；上記出力装置により上記埋め込み印刷画像に埋め込まれた特殊符合を上記入力画像から取得し、その特殊符号に対して所定の復号を施して該特殊符号から少なくともリスト情報を取得するリスト情報取得手段と；上記リスト情報取得手段で取得した上記リスト情報に含まれる情報のうち、上記複写装置による複写を許可された複写許可者、又は、複数の該複写許可者から構成された複写許可グループの少なくとも一方を特定可能な特定情報と、上記複写特定情報受付手段で受け付けた上記複写特定情報とを比較し、その比較結果に従って、複写の許可又は不許可のいずれかを決定する複写決定手段と；上記複写決定手段により複写が許可された場合、上記入力画像を新たに出力することで、上記出力装置により出力された埋め込み印刷画像を複写する複写手段とを備えることを特徴としている。
【００１９】
上記複写部は、上記入力画像を紙に出力するようにしてもよい。
【００２０】
また、上記課題を解決するために、本発明の別の観点によれば、出力装置により出力される画像に埋め込まれた所定の情報を基にして、複写処理を管理する複写装置が提供される。上記複写装置は、上記複写装置を用いて複写する複写者、又は、該複写者が属する複写グループのうち少なくとも一方を特定可能な複写特定情報の入力を受け付ける複写特定情報受付部と；上記出力装置により出力された埋め込み印刷画像を入力して入力画像を生成する入力部と；上記複写特定情報受付部により上記複写特定情報が受け付けられると、上記入力画像を新たに出力することで、上記出力装置により出力された埋め込み印刷画像を複写する複写部と；上記出力装置により上記埋め込み印刷画像に埋め込まれた特殊符合を上記入力画像から取得し、その特殊符号に対して所定の復号を施して該特殊符号から少なくともリスト情報を取得するリスト情報取得部と；上記リスト情報取得部で取得した上記リスト情報に含まれる情報のうち、上記埋め込み印刷画像を上記出力装置から外部に出力した出力者、又は、該出力者が属する出力グループのうち少なくとも一方を特定可能な特定情報と、上記複写特定情報受付部で受け付けた上記複写特定情報とを関連付けて記憶する関連付け記憶部と；上記特定情報の入力を受け付け、その受け付けた特定情報を基にして上記関連付け記憶部から該当する特定情報と、その特定情報に上記関連付けられた上記複写特定情報とを取得し、その取得した特定情報と複写特定情報とを出力する出力部とを備えるようにしてもよい。
【００２１】
また、上記課題を解決するために、本発明の別の観点によれば、コンピュータをして、出力装置により出力される画像に埋め込まれた所定の情報を基にして、複写処理を管理する複写装置として機能させるコンピュータプログラムが提供される。上記コンピュータプログラムは、上記複写装置を用いて複写する複写者、又は、該複写者が属する複写グループのうち少なくとも一方を特定可能な複写特定情報の入力を受け付ける複写特定情報受付手段と；上記出力装置により出力された埋め込み印刷画像を入力して入力画像を生成する入力手段と；上記複写特定情報受付手段により上記複写特定情報が受け付けられると、上記入力画像を新たに出力することで、上記出力装置により出力された埋め込み印刷画像を複写する複写手段と；上記出力装置により上記埋め込み印刷画像に埋め込まれた特殊符合を上記入力画像から取得し、その特殊符号に対して所定の復号を施して該特殊符号から少なくともリスト情報を取得するリスト情報取得手段と；上記リスト情報取得手段で取得した上記リスト情報に含まれる情報のうち、上記埋め込み印刷画像を上記出力装置から外部に出力した出力者、又は、該出力者が属する出力グループのうち少なくとも一方を特定可能な特定情報と、上記複写特定情報受付手段で受け付けた上記複写特定情報とを関連付けて記憶する関連付け記憶手段と；上記特定情報の入力を受け付け、その受け付けた特定情報を基にして上記関連付け記憶手段から該当する特定情報と、その特定情報に上記関連付けられた上記複写特定情報とを取得し、その取得した特定情報と複写特定情報とを出力する出力手段とを備えることを特徴としている。
【００２２】
上記複写部は、上記入力画像を紙に出力するようにしてもよい。
【００２３】
また、上記リスト情報取得部は、上記特殊符号から上記埋め込み印刷画像を上記出力装置から外部に出力した時間を示す出力時間情報又はその出力場所を示す出力場所情報の少なくとも一方を、さらに取得し；上記関連付け記憶部は、上記リスト情報取得部で取得した上記リスト情報に含まれる上記特定情報に、上記複写特定情報、上記出力時間情報、上記出力場所情報、または上記複写部により複写が実行された時間を示す複写時間情報のうち少なくとも一つを関連付けて記憶し；上記出力部は、上記関連付け記憶部から取得した上記特定情報、上記複写特定情報、上記出力時間情報、上記出力場所情報、または上記複写時間情報のうち少なくとも一つを出力するようにしてもよい。
【００２４】
また、上記出力部が受け付けた上記特定情報が管理者を示す情報である場合、上記関連付け記憶部に記憶された全ての上記特定情報に関連付けられた情報を出力してもよい。
【００２５】
また、上記出力部が受け付けた上記特定情報が出力者を示す情報である場合、その出力者が属する上記出力グループの特定情報に関連付けられた情報をさらに出力してもよい。
【００２６】
上記複写部は、上記リスト情報取得部による上記リスト情報の取得処理とは独立して、上記複写を実行するように構成してもよい。
【００２７】
また、上記複写部は、上記入力画像を上記入力部から取得すると、上記複写を開始するようにしてもよい。
【００２８】
上記出力部は、上記検索した特定情報に関連付けられた情報及び該特定情報を、所定の形式に加工し、該特定情報から得られる通知先に従って、出力するようにしてもよい。
【００２９】
上記通知先は、上記特定情報と該通知先とを対応付けた通知先テーブルから得られるにしてもよい。
【００３０】
上記入力部は、紙に印刷された透かし入り印刷画像を読み取り、上記入力画像を生成するようにしてもよい。
【００３１】
上記関連付け記憶部は、上記関連付けた上記複写特定情報と上記特定情報とを記憶媒体に記録してもよい。
【００３２】
上記特殊符号は、透かし画像から構成されてもよく、また、上記特殊符号は、ドットパターンが配置されることにより表される情報であり、上記ドットパターンは、所定の方向に所定の間隔でドットが配置され、上記ドットの輝度値を振幅とし、上記所定の方向と垂直な方向を伝播方向とするものであり、上記ドットの方向及び／又は間隔を変化させたドットパターンを複数用意し、上記ドットパターンが組み合わせて配置されることにより、上記特殊符合が表されるようにしてもよい。
【発明の効果】
【００３３】
以上説明したように、本発明によれば、埋め込まれたリスト情報に含む特定情報に従って、複写処理を制限したり、複写処理に関する情報を記録したりするなど、複写処理を柔軟に管理することができるため、利便性を保ちつつも、情報漏洩を未然に防止又は迅速に検知することができる。
【発明を実施するための最良の形態】
【００３４】
以下、本発明の好適な実施の形態について、添付図面を参照しながら詳細に説明する。なお、以下の説明及び添付図面において、略同一の機能及び構成を有する構成要素については、同一符号を付することにより、重複説明を省略する。
【００３５】
（第１の実施形態）
まず、図１を参照しながら、第１の実施の形態にかかる複写管理システムの構成について説明する。なお、図１は、第１の実施の形態にかかる複写管理システムの概略的な構成を示すブロック図である。
【００３６】
図１に示すように、第１の実施の形態にかかる複写管理システム１には、出力装置１０と、複写装置３０とが備わっている。
【００３７】
（出力装置１０）
上記出力装置１０は、原情報となる文書データと、文書に埋め込む機密情報等の情報をもとに印刷画像を構成し、紙媒体等に出力する装置である。
【００３８】
出力装置１０は、図１に示すように、画像生成部１０１と、リスト情報生成部１０２と、埋め込み部１０４と、出力部１０３とを備えている。
【００３９】
上記画像生成部１０１は、原情報となる文書データ１５を紙面に印刷するための画像が作成される。具体的には、印刷画像中の白画素領域は何も印刷されない部分であり、黒画素領域は黒の塗料が塗布される部分である。
【００４０】
なお、本実施の形態では、白い紙面に黒のインク（単色）で印刷を行うことを前提として説明するが、本発明はこれに限定されず、カラー（多色）で印刷を行う場合であっても、同様に本発明を適用可能である。
【００４１】
上記リスト情報生成部１０２は、１又は２以上の特定情報を含んだリスト情報を生成する。上記特定情報は、出力される印刷文書２０の複写を許可された者（複写許可者）、又は、複数の複写許可者からなる複写許可グループの少なくとも一方を特定する情報である。より具体的には、特定情報は、例えば、複写許可者又は複写許可グループを特定するＩＤ（個体識別、利用者識別、およびそのための符号（identification））などであるが、かかる例に限定されない。なお、詳細については後述する。
【００４２】
上記埋め込み部１０４は、上記リスト情報生成部１０２で生成されたリスト情報をディジタル化して数値に変換したものをＮ元符号化（Ｎは２以上）し、特殊符号の信号として、符号語の各シンボルをあらかじめ用意した信号に割り当てる。信号は任意の大きさの矩形領域中にドットを配列することにより任意の方向と波長を持つ波を表現し、波の方向や波長に対してシンボルを割り当てたものである。透かし画像は、これらの信号がある規則に従って画像上に配置されたものである。
【００４３】
なお、上記埋め込み部１０４は、上記リスト情報を基にして透かし画像を作成する場合に限定されず、例えば、埋め込み部１０４は、上記リスト情報の他に、出力者（印刷者など）のＩＤ、出力装置１０を識別するＩＰアドレス、出力装置１０の設置場所を識別するＩＤ、または印刷文書２０２を出力した出力時間のうち少なくとも一つを基にして透かし画像を作成する場合でも実施可能である。
【００４４】
さらに、上記埋め込み部１０４は、画像生成部１０１からの印刷画像と、リスト情報生成部１０２からのリスト情報を基に作成した上記透かし画像とを重ね合わせて埋め込み印刷画像を作成する。
【００４５】
なお、第１の実施の形態にかかる埋め込み部１０４は、例えば、参考文献１（特開２００３−１０１７６２号公報）に記載の透かし画像を作成する透かし画像形成部１２と、透かし画像を埋め込む透かし入り文書画像合成部１３が有する機能を具備し、埋め込み部１０４は、少なくとも上記透かし画像形成部１２と透かし入り文書画像合成部１３が実行する処理を行うことができるが、かかる例に限定されない。
【００４６】
また、第１の実施の形態にかかる埋め込み部１０４は、リスト情報生成部１０２からのリスト情報を基に透かし画像を作成する場合を例に挙げて説明するが、かかる例に限定されず、例えば、埋め込み部１０４が透かし画像を作成する代わりに、リスト情報生成部１０２自らリスト情報を基に透かし画像を作成する場合等でも実施可能である。
【００４７】
また、出力部１０３は、プリンタなどの出力装置であり、埋め込み印刷画像を紙媒体に印刷する。
【００４８】
印刷文書２０は、元の文書データ１５に対してリスト情報を埋め込んで印刷されたものである。
【００４９】
なお、第１の実施の形態にかかる出力装置１０は、出力部１０３と、埋め込み部１０４と、リスト情報生成部１０２とを一体として備える場合を例に挙げて説明するが、かかる例に限定されず、例えば、出力部１０３を別体にしてもよい。より具体的には、出力装置１０は、埋め込み部１０４と、リスト情報生成部１０２とを備え、出力部１０３は、印刷装置等の別の装置に備わる。
【００５０】
また、第１の実施の形態にかかる出力部１０３は、紙等の印刷媒体に埋め込み画像を印刷する場合を例に挙げて説明するが、かかる例に限定されず、例えば、出力部１０３は、ＰＤＦ（Ｐｏｒｔａｂｌｅ  Ｄｏｃｕｍｅｎｔ  Ｆｏｒｍａｔ）形式などの電子文書として埋め込み画像を出力する場合でもよい。
【００５１】
（複写装置３０）
複写装置３０は、印刷文書２０を入力画像として取り込み、埋め込まれているリスト情報を復元するとともに、そのリスト情報を基にして、複写物５０の複写を制御するなど、複写の管理をする装置である。
【００５２】
複写装置３０は、図１に示すように、入力部２０１と、複写部２０２と、リスト情報取得部２０３と、複写決定部２０４と、複写特定情報受付部２０５とを備えている。
【００５３】
上記入力部２０１は、スキャナなどの入力装置であり、紙に印刷された印刷文書２０を多値階調のグレイ画像等として取り込み、入力画像を生成する。なお、入力部２０１は、かかる例に限定されず、例えば、印刷文書２０のＰＤＦファイル若しくは埋め込み印刷画像等を直接データ入力するインタフェースとして構成されてもよい。
【００５４】
また、上記リスト情報取得部２０３は、上記入力画像に対してフィルタ処理を行い、埋め込まれた信号（特殊符号）を検出する。検出された信号からシンボルを復元し、埋め込まれたリスト情報を取り出す。
【００５５】
なお、第１の実施の形態にかかるリスト情報取得部２０３は、例えば、参考文献１（特開２００３−１０１７６２号公報）に記載の透かし画像を検出し元の情報に復元する透かし検出部３２が有する機能を具備し、リスト情報取得部２０３は、少なくとも上記透かし検出部３２が実行する処理を行うことができるが、かかる例に限定されない。
【００５６】
上記複写特定情報受付部２０５は、使用者が複写時に使用するコピーカードに記録された複写特定情報４０を受け付ける。複写特定情報受付部２０５は、コピーカードを読み取り、そのコピーカードに記録された複写特定情報４０を入力する。なお、入力された複写特定情報４０は、複写決定部２０４に送信される。
【００５７】
上記複写特定情報４０は、印刷文書２０を複写する使用者（複写使用者）又は当該複写使用者が属する複写グループのうち少なくとも一方を特定する情報であり、より具体的には、複写特定情報４０は、例えば、ＩＤである。
【００５８】
なお、第１の実施の形態にかかる複写特定情報４０は、複写する使用者を特定可能であれば、社員番号、コピーカード番号、氏名、メールアドレス等でもよく、また、複写特定情報４０は、例えば、複写使用者の指紋や虹彩などを基に生成されるバイオメトリクス情報等の場合でも実施可能である。
【００５９】
また、第１の実施の形態にかかる複写特定情報４０は、コピーカードに記録されている場合を例に挙げて説明したが、かかる例に限定されず、例えば、複写使用者により複写特定情報４０が入力される場合等でもよい。
【００６０】
また、第１の実施の形態では、上記コピーカードとして、磁気ストライプカード、非接触型ＩＣカード、接触型ＩＣカード、バーコード（２次元バーコード等も含む）が印字されたカード、複写者による直接入力、または複写者の指紋や虹彩等の身体的特徴などの場合でも実施可能であり、かかる場合、複写特定情報受付部２０５は、上記に対応して、磁気カードリーダ、ＩＣカードリーダ、バーコードリーダ、キーボード等の入力手段、または指紋リーダ等のバイオメトリクス認証手段などに適宜変更可能である。
【００６１】
上記複写決定部２０４は、復元したリスト情報に含む特定情報と、上記複写特定情報４０とを比較して、その比較結果に従い、複写の許可又は不許可の決定を行う。
【００６２】
上記複写部２０２は、上記複写決定部２０４により複写の許可が決定した場合、入力画像を紙等の印刷媒体に印刷し、複写物５０として出力する。
【００６３】
以上のように構成される出力装置１０及び複写装置３０の動作について説明する。まず、図１〜図８を参照しながら、出力装置１０の動作について説明する。
【００６４】
出力装置１０から印刷文書２０を出力しようとする出力者が、出力装置１０に出力指示をすると、出力装置１０に備わる各部は以下に示すように動作する。
【００６５】
（リスト情報生成部１０２）
リスト情報生成部１０２は、まず、複写を許可する者（複写許可者）、又は、複数の複写許可者からなる複写許可グループの少なくとも一方を特定可能な１又は２以上のＩＤからなるリスト情報を生成する。
【００６６】
図２（ａ）に示すようにリスト情報３０１は、１又は２以上の特定情報３０３−１、特定情報３０３−２、…を含んでいる。上記特定情報３０３は、複写許可者又は複写許可グループを特定可能なＩＤ情報であり、例えば、特定情報３０３−１は、複写許可者を特定する複写許可者ＩＤであり、特定情報３０３−４は、複写許可グループを特定する複写許可グループＩＤである。
【００６７】
上記複写許可グループは、複数の複写許可者から構成されるグループである。したがって、複写許可グループを指定すれば、その複写許可グループに属する複写許可者全てを指定せずに、印刷文書２０の複写を許可することができる。
【００６８】
図２（ｂ）に示すように、特定情報３０３−４は、複写許可グループＩＤであり、当該特定情報３０３−４をリスト情報３０１に含めるだけで、特定情報３０３−１〜特定情報３０３−３の複写許可者ＩＤをリスト情報３０１に登録せずに済むが、図２に示すデータ構造の例に限定されない。
【００６９】
なお、例えば、上記リスト情報生成部１０２は、管理者等の使用者から上記複写許可者又は複写許可グループを特定するＩＤの入力を受け付けて、そのＩＤを基に特定情報とリスト情報を生成するが、かかる例に限定されない。
【００７０】
上記リスト情報は、上述のように、印刷文書２０の複写を許可する複写許可者及び／又は複写許可グループに係る特定情報を１又は２以上含んで成る情報である。
【００７１】
第１の実施の形態にかかる特定情報は、複写許可者又は複写許可グループを特定するＩＤの場合を例に挙げて説明するが、かかる例に限定されず、例えば、特定情報は、複写許可者を特定可能であれば、社員番号、コピーカード番号、氏名、メールアドレス等でもよく、また、特定情報は、例えば、複写許可者の指紋や虹彩などを基に生成されるバイオメトリクス情報等の場合でも実施可能である。
【００７２】
また、特定情報３０３のＩＤを、例えば、４バイトの数字列で表現し、各複写許可者に異なるＩＤを割り当てる場合、複写許可者を１０名とすると、４０バイトの情報がリスト情報３０１となる。
【００７３】
なお、複写許可者の人数を固定ではなく可変とする場合、さらに、特定情報３０３の個数を示す情報（個数情報）を合わせてリスト情報３０１に含めてもよい。
【００７４】
また、予め、複写管理システム１の管理者や出力者の入力によりリスト情報生成部１０２が上記特定情報３０３を生成し、記憶してもよく、印刷文書２０の出力毎に出力者等の入力によりリスト情報生成部１０２が上記特定情報３０３を生成してもよく、さらに、予め特定情報３０３を複写許可グループごとに分類して記憶しておき、出力文書２０の出力毎に複写許可グループに係る特定情報３０３が出力者等により指定される場合でもよい。
【００７５】
（画像生成部１０１）
文書データ１５は、文字、図形、若しくは記号又はこれらの組み合わせを含み、さらにその文字に関するフォント情報や、文字、図形、又は記号等のレイアウト情報を含んだ原情報であり、ワープロソフト等で作成されるものとする。
【００７６】
画像生成部１０１は、この文書データ１５を基に、文書が紙に印刷された状態の印刷画像をページごとに作成する。この印刷画像は白黒の二値画像であり、画像上で白い画素（値が１の画素）は背景であり、黒い画素（値が０の画素）は文字領域（インクが塗布される領域）であるものとする。
【００７７】
より具体的には、上記印刷画像中の白画素領域は何も印刷されない部分であり、黒画素領域は黒の塗料が塗布される部分である。なお、第１の実施の形態では、例えば、白い紙面に黒のインク（単色）で印刷を行うことを前提として説明するが、かかる例に限定されず、例えば、カラー（多色）で印刷を行う場合であってもよい。
【００７８】
（埋め込み部１０４）
上記透かし画像の埋め込みについて簡単に説明すると、埋め込み部１０４は、リスト情報を基に透かし画像を生成し、印刷画像にその透かし画像を埋め込んで、埋め込み印刷画像を作成する。なお、埋め込み部１０４による埋め込み処理は、印刷画像の各ページ毎に行われ、印刷画像の各ページに対応するリスト情報（透かし画像）が埋め込まれる。
【００７９】
上記埋め込み部１０４は、リスト情報生成部１０２からリスト情報を入力して、当該リスト情報を必要に応じてＮ元符号化（Ｎは２以上）し、符号語の各シンボルをあらかじめ用意した透かし信号（ドットパターン）に割り当て、特殊符号として、透かし画像を生成する。透かし信号は任意の大きさの矩形領域中にドットを配列することにより任意の方向と波長を持つ波を表現し、波の方向や波長に対してシンボルを割り当てたものである。透かし画像は、これらの信号がある規則に従って画像上に配置されたものである。
【００８０】
より具体的には、透かし信号（ドットパターン）は、所定の方向に所定の間隔でドット（黒画素）が配置され、ドットの輝度値を振幅とし、所定の方向と垂直な方向を伝播方向とするものであって、ドットの方向及び／又は間隔を変化させたドットパターンを複数用意し、ドットパターンを組み合わせて配置することにより、リスト情報の内容を表す透かし画像となる。
【００８１】
（透かし信号について）
ここで、図３等を参照しながら、各シンボルに対して割り当てる透かし信号について説明する。なお、図３は、透かし信号の一例を示す説明図である。
【００８２】
図３に示すように、透かし信号の幅と高さをそれぞれＳｗ、Ｓｈとする。ＳｗとＳｈは異なっていても良いが、第１の実施の形態では説明を容易にするためＳｗ＝Ｓｈとする。長さの単位は画素数であり、図３の例ではＳｗ＝Ｓｈ＝１２である。これらの信号が紙面に印刷されたときの大きさは、リスト情報を基に生成される透かし画像の解像度に依存しており、例えば透かし画像が６００ｄｐｉ（ｄｏｔ  ｐｅｒ  ｉｎｃｈ：解像度の単位であり、１インチ当たりのドット数）の画像であるとしたならば、図３の透かし信号の幅と高さは、印刷文書上で１２／６００＝０．０２（インチ）となる。
【００８３】
以下、幅と高さがＳｗ、Ｓｈの矩形を１つの信号の単位として「信号ユニット」と称する。図３（１）は、ドット間の距離が水平軸に対してａｒｃｔａｎ（３）（ａｒｃｔａｎはｔａｎの逆関数）の方向に密であり、波の伝搬方向はａｒｃｔａｎ（−１／３）である。以下、この信号ユニットをユニットＡと称する。図３（２）はドット間の距離が水平軸に対してａｒｃｔａｎ（−３）の方向に密であり、波の伝搬方向はａｒｃｔａｎ（１／３）である。以下、この信号ユニットをユニットＢと称する。
【００８４】
図４は、図３（１）の画素値の変化をａｒｃｔａｎ（１／３）の方向から見た断面図である。図４において、ドットが配列されている部分が波の最小値の腹（振幅が最大となる点）となり、ドットが配列されていない部分は波の最大値の腹となっている。
【００８５】
また、ドットが密に配列されている領域はそれぞれ１ユニットの中に２つ存在するため、この例では１ユニットあたりの周波数は２となる。波の伝播方向はドットが密に配列されている方向に垂直となるため、ユニットＡの波は水平方向に対してａｒｃｔａｎ（−１／３）、ユニットＢの波はａｒｃｔａｎ（１／３）となる。なお、ａｒｃｔａｎ（ａ）の方向とａｃｒｔａｎ（ｂ）の方向が垂直のとき、ａ×ｂ＝−１である。
【００８６】
第１の実施の形態では、ユニットＡで表現される透かし信号にシンボル０を割り当て、ユニットＢで表現される透かし信号にシンボル１を割り当てる。また、これらをシンボルユニットと称する。
【００８７】
透かし信号には図３（１）、（２）で示されるもの以外にも、例えば図５（３）〜（５）で示されるようなドット配列が考えられる。図５（３）は、ドット間の距離が水平軸に対してａｒｃｔａｎ（１／３）の方向に密であり、波の伝搬方向はａｒｃｔａｎ（−３）である。以下、この信号ユニットをユニットＣと称する。
【００８８】
図５（４）は、ドット間の距離が水平軸に対してａｒｃｔａｎ（−１／３）の方向に密であり、波の伝搬方向はａｒｃｔａｎ（３）である。以下、この信号ユニットをユニットＤと称する。図５（５）は、ドット間の距離が水平軸に対してａｒｃｔａｎ（１）の方向に密であり、波の伝搬方向はａｒｃｔａｎ（−１）である。なお、図５（５）は、ドット間の距離が水平軸に対してａｒｃｔａｎ（−１）の方向に密であり、波の伝搬方向はａｒｃｔａｎ（１）であると考えることもできる。以下、この信号ユニットをユニットＥと称する。
【００８９】
図３、図５に示した透かし信号の一例においては、１ユニット中のドットの数をすべて等しくしているため、これらのユニットを隙間なく並べることにより、透かし画像の見かけの濃淡が均一となる。したがって、例えば印刷された紙面上では、単一の濃度を持つグレイ画像が背景として埋め込まれているように見える。
【００９０】
このような効果を出すために、例えば、ユニットＥを背景ユニット（シンボルが割り当てられていない信号ユニット）と定義し、これを隙間なく並べて透かし画像の背景とし、シンボルユニット（ユニットＡ、ユニットＢ）を透かし画像に埋め込む場合は、埋め込もうとする位置の背景ユニット（ユニットＥ）とシンボルユニット（ユニットＡ、ユニットＢ）とを入れ替える。
【００９１】
図６（１）はユニットＥを背景ユニットと定義し、これを隙間なく並べて透かし画像の背景とした場合を示す説明図である。図６（２）は図６（１）の背景画像の中にユニットＡを埋め込んだ一例を示し、図６（３）は図６（１）の背景画像の中にユニットＢを埋め込んだ一例を示している。第１の実施の形態では、背景ユニットを透かし画像の背景とする方法について説明するが、シンボルユニットのみを配置することによって透かし画像を生成しても良い。
【００９２】
図７は、透かし画像へのシンボル埋め込み方法の一例を示す説明図である。ここでは、例として「０１０１」というビット列を埋め込む場合について説明する。
【００９３】
図７（１）、（２）に示すように、同じシンボルユニットを繰り返し埋め込む。これは文書中の文字が埋め込んだシンボルユニットの上に重なった場合や、印刷後にある程度の切り取りや汚損のある場合などでも、信号検出時に検出されなくなることを防ぐためであり、シンボルユニットの繰り返し数と配置のパターン（以下、ユニットパターンと称する。）は任意である。
【００９４】
すなわち、ユニットパターンの一例として、図７（１）のように繰り返し数を４（１つのユニットパターン中に４つのシンボルユニットが存在する）にしたり、図７（２）のように繰り返し数を２（１つのユニットパターン中に２つのシンボルユニットが存在する）にしたりすることができ、あるいは、繰り返し数を１（１つのユニットパターン中には１つのシンボルユニットだけが存在する）としてもよい。
【００９５】
また、図７（１）、（２）は１つのシンボルユニットに対して１つのシンボルが与えられているが、図７（３）のようにシンボルユニットの配置パターンに対してシンボルを与えても良い。
【００９６】
（埋め込み部１０４による埋め込み処理）
図８に示すように、埋め込み部１０４では、画像生成部１０１で作成した印刷画像８０と、リスト情報生成部１０２からのリスト情報３０１などを基にして作成した透かし画像と、を重ね合わせ、埋め込み印刷画像８２を作成する。なお、図８は、第１の実施形態にかかる出力装置１０の動作の概略を示す説明図である。
【００９７】
上記埋め込み印刷画像８２の各画素の値は、例えば、印刷画像８０と透かし画像の対応する画素値の論理積演算（ＡＮＤ）によって計算する。すなわち、印刷画像と透かし画像のどちらかが０（黒）であれば、埋め込み印刷画像８２の画素値は０（黒）、それ以外は１（白）となるが、かかる例に限定されない。
【００９８】
上記埋め込み印刷画像８２は、背景全体に透かし画像が埋め込まれるが、埋め込まれた透かし画像に対する可読性はほとんどなく、その透かし画像から元のリスト情報などの情報を、埋め込み印刷画像８２を作成指示した本人であっても把握することができない。印刷文書２０についても、上記埋め込み印刷画像８２と同様である。
【００９９】
埋め込み印刷画像８２は、図８に示すように、出力１０３により、紙等の印刷媒体に印刷され印刷文書２０として出力される。
【０１００】
以上、第１の実施形態にかかる出力装置１０の動作について説明を終了する。次に、図１、及び、図９を参照しながら、第１の実施形態にかかる複写装置３０の動作について説明する。
【０１０１】
（複写特定情報受付部２０５）
まず、図１に示すように、複写者は複写しようとする印刷文書２０を複写装置３０に備わる入力部２０１に配置するとともに、複写者は、複写特定情報受付部２０５に対しコピーカードに記録された複写者を特定する複写特定情報４０を入力させる。なお、上記複写者が印刷文書２０を出力装置１０から出力した本人であれば、複写者と出力者は同一人であるが、出力した本人と異なれば、複写者と出力者は異人となる。
【０１０２】
なお、上記複写特定情報は、出力装置１０側で付与される特定情報（複写許可者、複写許可グループ）と比較可能であるような形式の情報であり、例えば、複写特定情報がＩＤならば特定情報もＩＤ（複写許可者ＩＤなど）、複写特定情報が指紋のバイオメトリクス情報なら特定情報も指紋のバイオメトリクス情報などのような具合である。
【０１０３】
次に、入力部２０１は、図９に示すように、印刷文書２０を、例えば、光学的に読み取り、ディジタル画像データに変換し、入力画像９０を生成する。生成された入力画像９０は、入力部２０１から複写部２０２とリスト情報取得部２０３に送信される。
【０１０４】
（リスト情報取得部２０３）
次に、上記リスト情報取得部２０３は、入力部２０１で生成された入力画像９０から透かし画像を取得し、その透かし画像をリスト情報３０１に復元する。なお、上記入力画像９０は、例えば、多値画像であるが、かかる例に限定されない。
【０１０５】
なお、既に説明したように、埋め込み印刷画像には透かし画像としてのリスト情報が冗長性を具備するように複数回繰り返し埋め込まれるため、必ずしも入力画像９０全体から透かし画像をリスト情報取得部２０３が読み取り、それからリスト情報３０１を復元する必要はない。したがって、リスト情報取得部２０３は、入力画像９０の画像領域のうち、リスト情報３０１を取得するのに十分な面積を持つ一部の画像領域から透かし画像を抽出し、当該リスト情報を取得する場合でも良い。
【０１０６】
上記入力画像９０から透かし画像を取得し、リスト情報を復元するためには、上記リスト情報取得部２０３は、入力画像９０に対してフィルタリング処理を行い、フィルタ出力値の計算とフィルタ出力値の比較を行う。フィルタ出力値の計算は、ガボールフィルタと称されるフィルタを用いて、入力画像９０の全画素においてフィルタと画像間のコンボリューションにより計算する。
【０１０７】
次に、リスト情報取得部２０３は、各信号ユニットに対応するすべてのフィルタに対してフィルタ出力値を計算した後、各画素において上記のように計算したフィルタ出力値を比較し、その最大値Ｆ（ｘ、ｙ）をフィルタ出力値行列として記憶する。また、値が最大であるフィルタに対応する信号ユニットの番号をフィルタ種類行列として記憶する。
【０１０８】
次に、リスト情報取得部２０３は、得られたフィルタ出力値行列を用いて、信号ユニットの信号位置を決定して、その信号ユニットの種別を特定する（ユニットＡ又はＢなど）。
【０１０９】
なお、上記信号位置の決定では、信号ユニットの大きさがＳｈ×Ｓｗで構成されていたとすると、格子点の垂直方向の間隔がＳｈ、水平方向の間隔がＳｗ、格子点の個数がＮｈ×Ｎｗの信号位置探索テンプレートが作成される。
【０１１０】
上記のようにして、リスト情報取得部２０３は、決定した信号ユニットの判定結果をシンボル行列として記憶する。
【０１１１】
最後に、リスト情報取得部２０３は、シンボル行列のうち、信号境界内部に相当する部分から元のリスト情報３０１として復元する。
【０１１２】
なお、リスト情報取得部２０３が取得した透かし画像から元のリスト情報３０１に復元するためには、例えば、リスト情報取得部２０３は、各ユニットパターンに埋め込まれているシンボルを検出し、そのシンボルを連結してデータ符号を復元し、データ符号を復号して埋め込まれていたリスト情報３０１を取り出す。
【０１１３】
なお、第１の実施の形態にかかるリスト情報取得部２０３は、例えば、参考文献１（特開２００３−１０１７６２号公報）に記載の透かし画像を検出し元の情報に復元する透かし検出部３２が有する機能を具備し、リスト情報取得部２０３は、少なくとも上記透かし検出部３２が実行する処理を行うことができるが、かかる例に限定されない。
【０１１４】
上記リスト情報３０１は、上述のように、リスト情報取得部２０３により入力画像９０から取得された透かし画像を基に復元される。なお、透かし画像としてリスト情報３０１の他に、印刷文書２０を出力した出力時間等の情報も埋め込まれていた場合、当該それらの情報についても入力画像９０から取得された透かし画像を基に復元される。
【０１１５】
また、入力画像９０から復元されたリスト情報３０１は、上述の埋め込み印刷画像に埋め込まれたリスト情報３０１と同一のものである。
【０１１６】
次に、リスト情報取得部２０３は、復元したリスト情報３０１を複写決定部２０４に送信すると、以下に説明する複写決定部２０４による複写の可否判断が行われる。
【０１１７】
（複写決定部２０４）
次に、図９に示すように、複写決定部２０４は、リスト情報取得部２０３により復元されたリスト情報３０１に含む特定情報３０３と、複写特定情報受付部２０５により受け付けられた複写特定情報４０（例えば、複写者ＩＤ）とを参照し、比較する。なお、複写特定情報４０は、複写グループＩＤの場合、複写者ＩＤ及び複写グループＩＤの場合でもよい。
【０１１８】
図９に示すように、複写者ＩＤと、各特定情報３０３（特定情報３０３−１、特定情報３０３−２）とを、複写決定部２０４が比較して、複写者ＩＤと一致する特定情報３０３がリスト情報３０１に存在すれば、複写決定部２０４は、複写部２０２に対して複写を許可する。
【０１１９】
一方、複写決定部２０４が比較して、複写者ＩＤと一致する特定情報３０３がリスト情報３０１に存在しなかった場合、複写決定部２０４は、複写部２０２に対して複写を禁止（不許可）する。
【０１２０】
なお、例えば、リスト情報３０１に含まれる特定情報３０３の一部と、上記複写特定情報４０の一部とが一致する場合でも、複写決定部２０４は、複写部２０２に対して複写を禁止するが、かかる例に限定されず、複写を許可しても良い。例えば、印刷文書２０の汚損などにより不完全な形でリスト情報が復元される等の場合、上記特定情報３０３と複写特定情報４０との一部一致があり得る。
【０１２１】
最後に、複写決定部２０４による比較の結果、複写決定部２０４により複写の許可が付与されると、複写部２０２は、入力部２０１で生成された入力画像を、例えば、印刷に適した形に変換して紙等の印刷媒体に印刷し、複写物５０として出力する。なお、上記印刷に適した形への変換は、複写部２０２の特性等によって異なるが、濃度やコントラストの変換等を例示することができる。
【０１２２】
第１の実施の形態にかかる複写部２０２は、紙等の印刷媒体に印刷する場合を例に挙げて説明したが、かかる例に限定されず、例えば、複写部２０２は、入力画像をＰＤＦ形式などの電子文書として入力画像を複写物５０として出力してもよい。
【０１２３】
以上説明したように、第１の実施形態によれば、印刷文書２０の背景として、印刷文書２０を複写しても良い者を特定可能な情報（特定情報）が、当該印刷文書２０の地紋にディジタル情報として記録されるため、複写が許可された者は（複写許可者）、利便性を損なうことなく、自由に印刷文書２０を複写することができる。また、複写が不許可である者による、印刷文書２０の複写を禁止することができるため、印刷文書２０の複写による情報漏洩を防止することができる。さらに、印刷文書２０のページ単位などで、自由に複写を許可する対象者を指定することができるため、印刷物の内容に応じて柔軟なセキュリティ対策を講じることができる。
【０１２４】
（第２の実施形態）
次に、第２の実施の形態にかかる複写管理システム１ａについて説明するが、ここでは、既に説明した第１の実施の形態にかかる複写管理システム１と第２の実施の形態にかかる複写管理システム１ａとの相違点について特に詳細に説明し、その他の点についての説明は、実質的に同一であるため、省略する。
【０１２５】
まず、図１０を参照しながら、第２の実施の形態にかかる複写管理システムの構成について説明する。なお、図１０は、第２の実施の形態にかかる複写管理システムの概略的な構成を示すブロック図である。
【０１２６】
図１０に示すように、第２の実施の形態にかかる複写管理システム１ａには、出力装置１０ａと、複写装置３０ａとが備わっている。
【０１２７】
（出力装置１０ａ）
出力装置１０ａは、図１０に示すように、画像生成部１０１と、リスト情報生成部１０２ａと、埋め込み部１０４と、出力部１０３とを備えている。
【０１２８】
ここで、上記リスト情報生成部１０２ａは、１又は２以上の特定情報を含んだリスト情報を生成する。上記特定情報は、出力装置１０ａから外部に出力（印刷等）した出力者、又は、その出力者が属する出力グループのうち少なくとも一方を特定する情報である。より具体的には、特定情報は、例えば、出力者又は出力グループを特定するＩＤなどであるが、かかる例に限定されない。
【０１２９】
ここで、第２の実施形態にかかるリスト情報について説明すると、図１１（ａ）に示すようにリスト情報３０１ａは、１又は２以上の特定情報３０３ａ−１、特定情報３０３ａ−２、…を含んでいる。
【０１３０】
上記特定情報３０３ａは、出力者又は出力グループを特定可能なＩＤ情報であり、例えば、特定情報３０３ａ−１は、出力者を特定する出力者ＩＤであり、特定情報３０３ａ−２は、出力者が属するグループを特定する出力グループＩＤである。
【０１３１】
上記出力グループは、出力者を含む複数の使用者から構成されるグループである。したがって、出力グループを指定すれば、グループ単位で、印刷文書２０ａの出力元を特定、又は、印刷文書２０ａの複写の管理をすることができる。
【０１３２】
図１１（ｂ）に示すように、例えば、特定情報３０３ａ−２は、出力グループＩＤであり、特定情報３０３ａ−１の出力者ＩＤをグループとして含んでいる。当該特定情報３０３ａ−２をリスト情報３０１ａに含めれば、特定情報３０３ａ−１をリスト情報３０１ａに含めなくても済むが、図１１に示すデータ構造の例に限定されない。
【０１３３】
また、例えば、上記リスト情報生成部１０２ａは、出力者から上記出力者又は出力グループを特定するＩＤの入力を受け付けて、そのＩＤを基に特定情報とリスト情報を生成するが、かかる例に限定されない。
【０１３４】
上記リスト情報は、上述のように、印刷文書２０ａの出力をする出力者及び／又は出力グループに係る特定情報を１又は２以上含んで成る情報である。
【０１３５】
第２の実施の形態にかかる特定情報についても、第１の実施の形態にかかる特定情報と同様に、出力者又は出力グループを特定するＩＤの場合を例に挙げて説明するが、かかる例に限定されず、例えば、特定情報は、出力者を特定可能であれば、社員番号、コピーカード番号、氏名、メールアドレス等でもよく、また、特定情報は、例えば、出力者の指紋や虹彩などを基に生成されるバイオメトリクス情報等の場合でも実施可能である。
【０１３６】
また、第２の実施の形態に係る特定情報３０３ａのＩＤを、例えば、２バイトの数字列で表現すると、特殊符号としての透かし情報も、通常は、２バイトを含んだ情報となる。
【０１３７】
上記リスト情報生成部１０２ａを除き、第２の実施の形態にかかる出力装置１０ａの構成については、第１の実施の形態にかかる出力装置１０と実質的に同一であるため、詳細な説明を省略する。
【０１３８】
（複写装置３０ａ）
複写装置３０ａは、図１０に示すように、入力部２０１と、複写部２０２と、リスト情報取得部２０３ａと、複写特定情報受付部２０５と、関連付け記憶部２０６と、出力部２０７とを備えている。
【０１３９】
リスト情報取得部２０３ａは、第１の実施の形態にかかるリスト情報取得部２０３と比べて、リスト情報取得部２０３が復元する特定情報は、複写許可者又は複写許可グループを特定するＩＤ情報等であるのに対し、リスト情報取得部２０３ａが復元する特定情報は、出力者又は出力グループを特定するＩＤ情報等であるように、復元する特定情報の情報内容が異なる点で相違するが、その他の点については、実質的に同一である。
【０１４０】
関連付け記憶部２０６は、リスト情報取得部２０３ａからのリスト情報３０１ａに含む特定情報３０３ａと、複写特定情報受付部２０５からの複写特定情報４０とを関連付けて、それらの情報を記憶する。
【０１４１】
出力部２０７は、出力者を特定する出力者ＩＤ等の入力を使用者から受け付けて、その受け付けた出力者ＩＤと一致する出力者ＩＤを関連付け記憶部２０６から取得して、例えば、画面上又は紙等の印刷媒体などに出力する。したがって、出力部２０７は、例えば、ＴＶ装置又は液晶ディスプレイ装置や、プリンタ装置などを例示することができるが、かかる例に限定されず、例えば、出力部２０７は、外部の装置に関連付け記憶部２０６から取得した情報を伝送するＥｔｈｅｒｎｅｔ（登録商標）等の通信インタフェースなどでもよい。
【０１４２】
なお、上記リスト情報取得部２０３ａ、関連付け記憶部２０６、出力部２０７を除き、第２の実施の形態にかかる複写装置３０ａの構成については、第１の実施の形態にかかる複写装置３０と実質的に同一であるため、詳細な説明を省略する。
【０１４３】
以上のように構成される出力装置１０ａ及び複写装置３０ａの動作について説明する。まず、図１０等を参照しながら、出力装置１０ａの動作について説明する。
【０１４４】
なお、第２の実施の形態にかかる出力装置１０ａの動作は、第１の実施の形態にかかる出力装置１０の動作と比較して、特に、第１の実施形態では特定情報が複写許可者ＩＤであったのが、第２の実施形態では特定情報が出力者ＩＤになったように、特定情報の内容の点で異なる。
【０１４５】
上記以外の点を除き、第２の実施の形態にかかる出力装置１０ａの動作と、第１の実施の形態にかかる出力装置１０の動作と比較して実質的に同一であるため、詳細な説明は省略する。
【０１４６】
以上、第２の実施形態にかかる出力装置１０ａの動作について説明を終了する。次に、図１、及び、図９を参照しながら、第２の実施形態にかかる複写装置３０ａの動作について説明する。
【０１４７】
（複写特定情報受付部２０５）
まず、図１０に示すように、図１に示す複写特定情報受付部２０５と同様に、複写者は複写しようとする印刷文書２０ａを複写装置３０ａに備わる入力部２０１に配置するとともに、複写者は、複写特定情報受付部２０５に対しコピーカードに記録された複写者を特定する複写特定情報４０を入力させる。
【０１４８】
次に、第２の実施形態にかかる入力部２０１は、図１２に示すように、印刷文書２０ａを、例えば、光学的に読み取り、ディジタル画像データに変換し、入力画像９０ａを生成する。生成された入力画像９０ａは、入力部２０１から複写部２０２とリスト情報取得部２０３ａに送信される。
【０１４９】
（リスト情報取得部２０３ａ）
次に、第２の実施形態にかかるリスト情報取得部２０３ａは、入力部２０１で生成された入力画像９０ａから透かし画像を取得し、その透かし画像をリスト情報３０１ａに復元する。上記入力画像９０ａは、例えば、多値画像であるが、かかる例に限定されない。
【０１５０】
なお、第２の実施の形態にかかるリスト情報取得部２０３ａによる透かし画像の取得、リスト情報３０１ａへの復元については、既に説明した、第１の実施形態にかかるリスト情報取得部２０３による透かし画像の取得、リスト情報３０１への復元と実質的に同一であるため詳細な説明を省略する。
【０１５１】
上記リスト情報取得部２０３ａに復元された１又は２以上の特定情報３０３ａを含むリスト情報３０１ａは、関連付け記憶部２０６に送信される。
【０１５２】
（関連付け記憶部２０６）
次に、関連付け記憶部２０６は、リスト情報取得部２０３ａからのリスト情報３０１ａを取得すると、当該リスト情報３０１ａに含む特定情報３０３ａ（例えば、出力者ＩＤ）と、複写特定情報受付部２０５により受け付けられた複写特定情報４０（例えば、複写者ＩＤ）とを関連付けて、自ら保有する磁気ディスク、ＤＶＤ等の光学ディスク、ＲＡＭ、ＥＥＰＲＯＭなどの記録領域（図示せず。）に記録する。
【０１５３】
なお、リスト情報３０１ａの他に、印刷文書２０ａを出力した出力時間情報や、出力場所情報（又は、出力装置１０ａのアドレス）などが透かし画像に埋め込まれていた場合、それらの情報及び複写した時間を示す複写時間情報についても、関連付けられても良い。
【０１５４】
ここで、図１３を参照しながら、関連付け記憶部２０６により関連付けられた情報群のデータ構造について説明する。なお、図１３は、第２の実施の形態にかかる関連付け記憶部２０６により関連付けられた情報群の概略的なデータ構造を示す説明図である。
【０１５５】
図１３に示すように、関連付け記憶部２０６が関連付けて記憶する情報は、特定情報３０３ａと、複写特定情報４０と、複写時間情報と、出力時間情報と、出力場所情報とを含んで成る１又は２以上のレコード（横一列のセル群）である。なお、特定情報３０３ａと複写特定情報４０とは必須であるが、他の複写時間情報、出力時間情報、および出力場所情報については、必ずしも必要であるとは限らない。
【０１５６】
関連付け記憶部２０６により関連付けられた情報群の一例を挙げると、図１３に示すように、特定情報３０３ａの「出力者ＩＤ１」をキーとして、その「出力者ＩＤ１」には、「複写者ＩＤ１」と、「２００６年１２月７日５時１０分５秒」（複写時間情報）と、「２００５年５月５日１１時１分１秒」（出力時間情報）と、「３３．２．１５５．６７」（出力場所情報）とが関連付けられているのが分かる。
【０１５７】
なお、図１３に示す複写時間情報及び出力時間情報は、年月日時とから構成されているが、かかる構成に限定されず、複写時間情報又は出力時間情報は、例えば、日時のみから構成される場合などでもよい。
【０１５８】
また、図１３に示す出力場所情報は、出力装置１０ａのＩＰ（Internet Protocol）アドレスから構成されているが、かかる構成に限定されず、出力場所情報は、例えば、出力装置１０ａが設置されている場所をＩＤ等で特定可能な情報などであってもよい。
【０１５９】
図１３に示すように、関連付け記憶部２０６による関連付けは、例えば、データベースの同一レコードに出力者ＩＤ及び複写者ＩＤ等の情報を記録することで、お互いの情報を関連付けているが、情報間の関連付けが一意に定まるデータ構造であれば、かかる例に限定されない。
【０１６０】
（出力部２０７）
上記関連付け記憶部２０６により特定情報３０３ａと複写特定情報４０等とが関連付けられて記録されると、次に、出力部２０７は、キーボード等から構成される入力手段（図示せず。）から出力者を特定可能な特定情報（出力者ＩＤなど）を受け付けると、当該受け付けた出力者ＩＤ等の特定情報と一致する特定情報３０３ａを検索するよう関連付け記憶部２０６に依頼する。なお、出力部２０７が入力手段を備えずに、複写特定情報受付部２０５により出力者を特定する特定情報（出力者ＩＤ）が受け付けられる場合でも良い。
【０１６１】
次に、関連付け記憶部２０６は、出力部２０７から依頼された特定情報と一致する特定情報３０３ａを検索した場合、該当する特定情報３０３ａと、その特定情報３０３ａに関連付けられた複写特定情報４０等の情報群を出力部２０７に送信する。
【０１６２】
次に、出力部２０７は、関連付け記憶部２０６から受け取った情報（出力者ＩＤ等に関連付けられた複写行為を示す情報群）を、例えば、画面上又は紙等の印刷媒体等に出力する。なお、出力部２０７は、かかる例に限定されず、例えば、関連付け記憶部２０６から受けた情報をＥｔｈｅｒｎｅｔ（登録商標）等のネットワークに伝送する場合、メモリーカード等のＵＳＢ（Universal Serial Bus）メモリ記録媒体に当該情報を記録する場合、スピーカー等に当該情報の内容を音声で出力する場合などでも可能である。
【０１６３】
また、上記出力部２０７は、予め登録された、管理者を特定する特定情報（管理者ＩＤ）を受け付けた場合、関連付け記憶部２０６は、全ての特定情報３０３ａと、それらの特定情報３０３ａに関連付けられた情報を取得し、出力部２０７に送信しても良い。
【０１６４】
第２の実施の形態にかかる複写部２０２は、リスト情報２０３ａや関連付け記憶部２０６と略同時に動作し、入力画像を複写物５０に出力しても良い。したがって、第２の実施の形態にかかる複写部２０２は、入力部２０１から入力画像を受け取ると同時に複写処理を開始することができ、複写時間が遅くなるのを防止するとともに、不正な複写を防止するための透かし画像の取得等の処理を進めることができる。なお、第１の実施の形態にかかる複写部２０２では、複写決定部２０４による複写の許可が付与されるまで複写を開始できなかった。
【０１６５】
以上説明したように、第２の実施形態によれば、複写装置３０ａを利用して印刷文書２０ａを複写すると、その印刷文書２０ａに埋め込まれた特定情報３０３ａ（出力者ＩＤなど）と複写特定情報４０等の情報とが関連付けられて記録されるため、出力者又は複写を管理する管理者などは、印刷文書２０ａの頒布状況又は複写状況を定期的に把握することができる。
【０１６６】
また、原則、印刷文書２０ａの複写を複写装置３０ａは禁止しないため、複写処理を円滑かつ迅速に行うことができるが、それに伴う弊害防止として、上述の印刷文書２０ａの頒布状況又は複写状況に係る一連の情報を複写装置３０ａは記録し、出力者等に提供することで、不正な複写や情報漏洩を最小限に防ぐことができる。
【０１６７】
（第３の実施形態）
次に、第３の実施の形態にかかる複写管理システム１ｂについて説明するが、ここでは、既に説明した第１の実施の形態にかかる複写管理システム１又は第２の実施の形態にかかる複写管理システム１ａと第３の実施の形態にかかる複写管理システム１ｂとの相違点について特に詳細に説明し、その他の点についての説明は、実質的に同一であるため、省略する。
【０１６８】
まず、図１４を参照しながら、第３の実施の形態にかかる複写管理システムの構成について説明する。なお、図１４は、第３の実施の形態にかかる複写管理システムの概略的な構成を示すブロック図である。
【０１６９】
図１４に示すように、第３の実施の形態にかかる複写管理システム１ｂには、出力装置１０ａと、複写装置３０ｂとが備わっている。なお、第３の形態にかかる出力装置１０ａは、第２の実施の形態にかかる出力装置１０ａと実質的に同じであるため詳細な説明は省略する。
【０１７０】
（複写装置３０ｂ）
複写装置３０ｂは、図１４に示すように、入力部２０１と、複写部２０２と、リスト情報取得部２０３ａと、複写特定情報受付部２０５と、関連付け記憶部２０６ａと、出力部２０７とを備えている。
【０１７１】
なお、上記複写装置３０ｂのうち入力部２０１、複写部２０２、リスト情報取得部２０３ａ、複写特定情報受付部２０５、および出力部２０７については、第２の実施の形態に係る複写装置３０ａに備わる各部と実質的に同一であるため、関連付け記憶部２０６ａについて以下に説明する。
【０１７２】
（関連付け記憶部２０６ａ）
関連付け記憶部２０６ａは、リスト情報取得部２０３ａからのリスト情報３０１ａに含む特定情報３０３ａと、複写特定情報受付部２０５からの複写特定情報４０とを関連付けて、それらの情報を記憶する点では、第２の実施の形態にかかる関連付け記憶部２０６と同様である。
【０１７３】
さらに、上記関連付け記憶部２０６ａは、自ら記憶し、関連付けられた特定情報３０３ａや複写特定情報４０などの情報を、その特定情報３０３（出力者ＩＤなど）を基にして、出力部２０７を介して出力者又は管理者に通知する。
【０１７４】
以上のように構成される出力装置１０ａ及び複写装置３０ｂの動作について説明するが、上記出力装置１０ａの動作については、第２の実施の形態かかる出力装置１０ａの動作と実質的に同じであるため説明を省略し、複写装置３０ｂの動作について説明する。
【０１７５】
（複写特定情報受付部２０５）
まず、図１４に示すように、第３の実施の形態にかかる複写特定情報受付部２０５と同様に、複写者は複写しようとする印刷文書２０ａを複写装置３０ｂに備わる入力部２０１に配置するとともに、複写者は、複写特定情報受付部２０５に対しコピーカードに記録された複写者を特定する複写特定情報４０を入力させる。
【０１７６】
次に、第３の実施形態にかかる入力部２０１は、第２の実施形態にかかる入力部２０１と同様に、印刷文書２０ａを、例えば、光学的に読み取り、ディジタル画像データに変換し、入力画像を生成する。生成された入力画像は、入力部２０１から複写部２０２とリスト情報取得部２０３ａに送信される。
【０１７７】
（リスト情報取得部２０３ａ）
次に、第３の実施形態にかかるリスト情報取得部２０３ａは、第２の実施形態にかかるリスト情報取得部２０３ａと同様、入力部２０１で生成された入力画像から透かし画像を取得し、その透かし画像をリスト情報３０１ａに復元する。
【０１７８】
（関連付け記憶部２０６ａ）
次に、関連付け記憶部２０６ａは、第２の実施の形態にかかる関連付け記憶部２０６と同様に、リスト情報取得部２０３ａからのリスト情報３０１ａを取得すると、当該リスト情報３０１ａに含む特定情報３０３ａ（例えば、出力者ＩＤ）と、複写特定情報受付部２０５により受け付けられた複写特定情報４０（例えば、複写者ＩＤ）とを関連付けて、自ら保有する磁気ディスク、ＤＶＤ等の光学ディスク、ＲＡＭ、ＥＥＰＲＯＭなどの記録領域（図示せず。）に記録する。
【０１７９】
なお、リスト情報３０１ａの他に、印刷文書２０ａを出力した出力時間情報や、出力場所情報（又は、出力装置１０ａのアドレス）などが透かし画像に埋め込まれていた場合、それらの情報及び複写した時間を示す複写時間情報についても、関連付けられても良い。
【０１８０】
さらに、関連付け記憶部２０６ａは、上記関連付けた特定情報３０３ａや複写特定情報４０等の情報を出力者等に通知するために、当該特定情報３０３ａである出力者ＩＤ等を基に、通知先を決定し、その通知先に当該特定情報３０３ａや複写特定情報４０等の情報を、出力部２０７を介して送信する。
【０１８１】
なお、関連付け記憶部２０６ａが出力者等に通知する情報は、当該出力者を特定する特定情報３０３ａと、複写特定情報４０とを少なくとも含み、さらに、上述の印刷時間情報、印刷場所情報、または複写時間情報等の情報のうち少なくとも一つを含んでも良い。
【０１８２】
また、関連付け記憶部２０６ａによる通知先の決定方法は、例えば、特定情報３０３ａである出力者ＩＤがメールアドレスで構成されている場合、そのメールアドレスを通知先に決定し、特定情報３０３ａである出力者ＩＤがメールアドレス以外の識別番号等である場合、その出力者ＩＤをキーにして通知先変換テーブル等から通知先を決定するが、かかる例に限定されない。
【０１８３】
ここで、図１５を参照しながら、上記通知先変換テーブルについて説明する。なお、図１５は、第３の実施形態にかかる通知先変換テーブルの概略的な構成を示す説明図である。
【０１８４】
図１５に示すように、通知先変換テーブル７５０は、特定情報（出力者ＩＤ１、出力者ＩＤ２、…）と、その特定情報に対応する通知先（ｃｃｃ＠ｂｂ．ｎｅ．ｊｐ、ｆｆｆ＠ｂｂｂ．ｎｅ．ｊｐ、…）とを含んで構成されている。
【０１８５】
したがって、関連付け記憶部２０６ａは、「出力者ＩＤ１」など、特定情報を指定すれば、「ｃｃｃ＠ｂｂ．ｎｅ．ｊｐ」などのように、その特定情報に対応する通知先を取得することができる。
【０１８６】
なお、図１５に示すように、特定情報に対応する通知先は、一つである場合を例に挙げて説明したが、かかる例に限定されず、例えば、出力者及び管理者に通知する場合など、特定情報に対応する通知先が複数存在する場合でも実施可能である。かかる場合、通知先ごとに、特定情報３０３ａや複写特定情報４０等の関連付けられた情報が別々に送信される。
【０１８７】
また、図１５に示す通知先は、「ｃｃｃ＠ｂｂ．ｎｅ．ｊｐ」、「ｆｆｆ＠ｂｂｂ．ｎｅ．ｊｐ」のようにメールアドレスである場合を例に挙げて説明したが、かかる例に限定されず、例えば、通知先がＦＡＸ番号等の場合でも実施可能である。
【０１８８】
また、第３の実施形態にかかる通知先変換テーブル７５０は、関連付け記憶部２０６ａに備わる記憶領域（図示せず。）に記憶されている場合や、外部のサーバなどの記憶領域に記憶されている場合などでも良い。当該通知先変換テーブル７５０が外部のサーバなどの記憶領域に記憶されている場合、関連付け記憶部２０６ａは、通知先を決定する度ごとに当該外部のサーバに特定情報に対応する通知先を問い合わせることで、通知先を決定する。
【０１８９】
関連付け記憶部２０６ａは、通知先を決定すると、例えば、上記関連付けられた情報（特定情報３０３ａ、複写特定情報４０、複写時間情報、出力時間情報、出力場所情報等）にメールアドレス等のヘッダ情報を付与して電子メールを作成し、さらにＳＭＴＰプロトコル等に対応するように変換し、その通知先に、出力部２０７を介して送信するが、かかる例に限定されない。
【０１９０】
以上説明したように、第３の実施形態によれば、印刷文書２０ａの複写が行われると、出力者又は管理者の少なくとも一方に、その複写に伴って関連付けられた特定情報３０３ａや、複写特定情報４０等の情報が即座に通知されるため、印刷文書２０ａの複写を許容しつつも、不正な複写が行われれば、出力者又は管理者は、不正な複写を素早く検知することができ、通知された情報（複写特定情報４０など）を基に、情報漏洩を最小限に防ぐことができる。
【０１９１】
なお、上述した一連の処理は、専用のハードウェアにより行うこともできるし、ソフトウェアにより行うこともできる。一連の処理をソフトウェアによって行う場合には、そのソフトウェアを構成するプログラムが、汎用のコンピュータやマイクロコンピュータ等の情報処理装置にインストールされ、上記情報処理装置を出力装置１０、１０ａ及び／又は複写装置３０、３０ａ、３０ｂとして機能させる。
【０１９２】
プログラムは、ハードディスクドライブに限らず、フレキシブルディスク、ＣＤ−ＲＯＭ（Ｃｏｍｐａｃｔ  Ｄｉｓｃ  Ｒｅａｄ  Ｏｎｌｙ  Ｍｅｍｏｒｙ）、ＭＯ（Ｍａｇｎｅｔｏ  Ｏｐｔｉｃａｌ）ディスク、ＤＶＤ（Ｄｉｇｉｔａｌ  Ｖｅｒｓａｔｉｌｅ  Ｄｉｓｃ）、磁気ディスク、半導体メモリなどのリムーバブル記録媒体に、一時的あるいは永続的に格納（記録）しておくことができる。このようなリムーバブル記録媒体は、いわゆるパッケージソフトウエアとして提供することができる。
【０１９３】
なお、プログラムは、上述したようなリムーバブル記録媒体からコンピュータにインストールする他、ダウンロードサイトから、ディジタル衛星放送用の人工衛星を介して、コンピュータに無線で転送したり、ＬＡＮ（Ｌｏｃａｌ  Ａｒｅａ  Ｎｅｔｗｏｒｋ）、インターネットといったネットワークを介して、コンピュータに有線で転送し、コンピュータでは、そのようにして転送されてくるプログラムを受信し、内蔵するハードディスク等にインストールすることができる。
【０１９４】
ここで、本明細書において、コンピュータに各種の処理を行わせるためのプログラムを記述する処理ステップは、必ずしもフローチャートとして記載された順序に沿って時系列に処理する必要はなく、並列的あるいは個別に実行される処理（例えば、並列処理あるいはオブジェクトによる処理）も含むものである。
【０１９５】
また、プログラムは、１のコンピュータにより処理されるものであっても良いし、複数のコンピュータによって分散処理されるものであっても良い。
【０１９６】
以上、添付図面を参照しながら本発明の好適な実施形態について説明したが、本発明はかかる例に限定されない。当業者であれば、特許請求の範囲に記載された技術的思想の範疇内において各種の変更例または修正例を想定し得ることは明らかであり、それらについても当然に本発明の技術的範囲に属するものと了解される。
【０１９７】
上記実施の形態にかかる特定情報は、複写許可者又は複写許可グループの少なくとも一方を特定可能な情報であるか、又は、外部に出力した出力者又は出力グループのうち少なくとも一方を特定可能な情報である場合を例に挙げて説明したが、かかる例に限定されず、例えば、特定情報は、複写許可者又は複写許可グループの少なくとも一方を特定可能な情報（第１の特定情報）と、出力者又は出力グループのうち少なくとも一方を特定可能な情報（第２の特定情報）の双方から構成される場合でも実施可能である。かかる場合、埋め込み印刷画像には、上記第１の特定情報と第２の特定情報の双方が埋め込まれる。
【０１９８】
上記実施の形態にかかる特定情報は、ＩＤから構成される場合を例に挙げて説明したが、かかる例に限定されず、例えば、特定情報は、社員番号、コピーカード番号、氏名、メールアドレス、バーコード（２次元バーコード含む）等から構成される場合でもよく、また、特定情報は、例えば、指紋や虹彩などを基に生成されるバイオメトリクス情報等の場合でも実施可能である。
【０１９９】
上記実施の形態では、出力装置１０は、出力部１０３と、埋め込み部１０４と、リスト情報生成部１０２とを一体として備える場合を例に挙げて説明したが、かかる例に限定されず、例えば、出力部１０３を別体にしてもよい。より具体的には、出力装置１０は、埋め込み部１０４と、リスト情報生成部１０２とを備え、出力部１０３は、印刷装置等の別の装置に備わる。
【０２００】
また、上記実施の形態では、出力部１０３は、紙等の印刷媒体に埋め込み画像を印刷する場合を例に挙げて説明したが、かかる例に限定されず、例えば、出力部１０３は、ＰＤＦ形式などの電子文書として埋め込み画像を出力する場合でもよい。
【図面の簡単な説明】
【０２０１】
【図１】第１の実施の形態にかかる複写管理システムの概略的な構成を示すブロック図である。
【図２】第１の実施の形態にかかるリスト情報の概略的な構造を示す説明図である。
【図３】透かし信号の一例を示す説明図である。
【図４】図３（１）の画素値の変化をａｒｃｔａｎ（１／３）の方向から見た断面図である。
【図５】透かし信号の一例を示す説明図であり、（３）はユニットＣを、（４）はユニットＤを、（５）はユニットＥを示している。
【図６】背景画像の説明図であり、（１）はユニットＥを背景ユニットと定義し、これを隙間なく並べた透かし画像の背景とした場合を示し、（２）は（１）の背景画像の中にユニットＡを埋め込んだ一例を示し、（３）は（１）の背景画像の中にユニットＢを埋め込んだ一例を示している。
【図７】透かし画像へのシンボル埋め込み方法の一例を示す説明図である。
【図８】第１の実施形態にかかる出力装置の動作の概略を示す説明図である。
【図９】第１の実施形態にかかる複写装置の動作の概略を示す説明図である。
【図１０】第２の実施の形態にかかる複写管理システムの概略的な構成を示すブロック図である。
【図１１】第２の実施の形態にかかるリスト情報の概略的な構造を示す説明図である。
【図１２】第２の実施形態にかかる複写装置の動作の概略を示す説明図である。
【図１３】第２の実施の形態にかかる関連付け記憶部により関連付けられた情報群の概略的なデータ構造を示す説明図である。
【図１４】第３の実施の形態にかかる複写管理システムの概略的な構成を示すブロック図である。
【図１５】第３の実施形態にかかる通知先変換テーブルの概略的な構成を示す説明図である。
【符号の説明】
【０２０２】
１          複写管理システム
１０        出力装置
１５        文書データ
２０        印刷文書
３０        複写装置
４０        複写特定情報
５０        複写物
１０１      画像生成部
１０２      リスト情報生成部
１０３      出力部
１０４      埋め込み部
２０１      入力部
２０２      複写部
２０３      リスト情報取得部
２０４      複写決定部
２０５      複写特定情報受付部
３０１      リスト情報
３０３      特定情報
【図１】
2008187492.tif 000003
【図２】
2008187492.tif 000004
【図３】
2008187492.tif 000005
【図４】
2008187492.tif 000006
【図５】
2008187492.tif 000007
【図６】
2008187492.tif 000008
【図７】
2008187492.tif 000009
【図８】
2008187492.tif 000010
【図９】
2008187492.tif 000011
【図１０】
2008187492.tif 000012
【図１１】
2008187492.tif 000013
【図１２】
2008187492.tif 000014
【図１３】
2008187492.tif 000015
【図１４】
2008187492.tif 000016
【図１５】
2008187492.tif 000017